(57)【特許請求の範囲】
【請求項１】
柔軟性を有するとともに絶縁材料からなるシート状の基体に複数のアンテナ線が所定間隔を空けて配列されて保持された一対のアンテナ保持体と、前記アンテナ保持体の前記アンテナ線を配列した領域を被覆可能な大きさに形成されるとともに電波を遮蔽する導電性シート体とを備え、一対の前記アンテナ保持体の間に前記導電性シート体が前記アンテナ線を配列した領域に対向する位置に配置されて積層して一体化されており、前記導電性シート体及び前記アンテナ線の間には両者が接触しないように絶縁材が設けられている暖簾。
【請求項２】
前記アンテナ保持体の前記基体は、比誘電率が４以下の絶縁糸からなる地糸により組織された布体であり、前記アンテナ保持体の前記アンテナ線は、前記地糸と同一の芯糸に金属繊維をカバーリング加工した抵抗が１Ω／ｍ〜１５Ω／ｍの導電糸からなる請求項１に記載の暖簾。
【請求項３】
前記絶縁材は、前記布体の前記地糸からなる請求項２に記載の暖簾。
【請求項４】
前記アンテナ線は、前記布体の経糸方向及び／又は緯糸方向に挿入されて交差する地糸により保持されている請求項２又は３に記載の暖簾。
【請求項５】
前記アンテナ線は、当該アンテナ線に交差するように前記布体に縫い込まれた縫糸により保持されている請求項２又は３に記載の暖簾。
【請求項６】
請求項１から５のいずれかに記載の暖簾と、前記アンテナ保持体に保持された前記アンテナ線で受信した無線ＩＤタグからの信号に基づいてＩＤデータを読み取るとともにいずれの前記アンテナ保持体で受信したかを識別する情報読取部と、前記アンテナ保持体の識別データに基づいて移動方向を検知する検知処理部とを備えている移動検知装置。  
【発明の詳細な説明】
【技術分野】
【０００１】
本発明は、ＲＦＩＤ等の無線ＩＤタグを検知するアンテナを備えた布製の暖簾及びそれを用いた移動検知装置に関する。
【背景技術】
【０００２】
近年ＲＦＩＤ等の無線ＩＤタグの小型化が進み、無線ＩＤタグを様々な移動体に取り付けて識別するシステムが開発されている。無線ＩＤタグを認識するためには、無線ＩＤタグとの間で情報を送受信するためのアンテナが必要となる。
【０００３】
無線ＩＤタグの小型化により移動体に対する取付位置の制約が少なくなり、例えば人間に取り付ける場合でも衣服、身の回り品、所持品といった既存の身に付ける物に無線ＩＤタグを取り付けて人間の識別や位置認識が可能となっている。そのため、無線ＩＤタグと送受信するアンテナについても人間が移動する際に無線ＩＤタグに近接する様々な既存の物品に取り付けて、人間の移動を制約することなく自然な動作の中で識別や位置認識を行うことが望まれている。
【０００４】
無線ＩＤタグを用いた管理手法としては、例えば、特許文献１及び２では、入退室を検知する出入口にＲＦＩＤ受信用アンテナ及び赤外線検知装置を設け、赤外線検知装置により人体の通過を検知するとともに所持されたＲＦＩＤタグにより通過した保持者を特定して入退室を把握するようにした管理システムが記載されている。
【０００５】
また、物品の識別管理手法としては、例えば、特許文献３及び４では、アンテナを備えた暖簾状のシート体に、ＩＤタグを取り付けた物品を接触するように通過させることでＩＤタグをアンテナにより読み取るようにした点が記載されている。
【０００６】
また、アンテナを備えた布地としては、例えば、特許文献５では、経糸として、ポリエステル繊維等からなる非電気的伝導性の糸を用い、緯糸として、金属繊維等からなる電気的伝導性の糸を用いて織成された織物アンテナが記載されている。また、特許文献６では、少なくとも一部又は全部に導電性を示す導電部を有する金銀糸と絶縁性を示す絹糸とによって構成した織物に、導電部の配置パターンにより形成される導電性領域及び絶縁性を有するスロットを具備するアンテナが記載されている。
【先行技術文献】
【特許文献】
【０００７】
【特許文献１】特開２００１−０２８０９０号公報
【特許文献２】特開２００３−０２１６７９号公報
【特許文献３】特開平１１−３０１８４３号公報
【特許文献４】特開２００９−２９０５１２号公報
【特許文献５】特開２００８−５４６２０９号公報
【特許文献６】特開２００９−０４４４３９号公報
【発明の概要】
【発明が解決しようとする課題】
【０００８】
特許文献１及び２に記載されているように、従来の入退室管理システムでは、ＲＦＩＤタグの所持者を赤外線検知装置で通過検知する必要があり、また所持者から離れた位置に取り付けられたＲＦＩＤ受信用アンテナで検知するため、複数の所持者が近接した状態で通過する場合正確に所持者を特定できないおそれがある。
【０００９】
特許文献３及び４に記載されているように、暖簾状のシート体にＩＤタグを取り付けた物品を接触するように一方向に通過させる場合には、物品が順次接触することで物品を正確に特定して読み取ることができるが、ＩＤタグの所持者がランダムに通過することを想定したものではない。
【００１０】
また、特許文献５では金属繊維を用いているが、金属繊維は伸縮性に乏しく、合成繊維と組み合わせて織物にすると、合成繊維の伸縮に追随せずに断線したり、撓んでしまうといった欠点があり、アンテナの素材としてはそのまま用いることは難しい。特許文献６では、ＰＥＴからなる基材にアルミニウムを蒸着した金銀糸を導電性糸に用いているが、金銀糸は断線しやすく電気抵抗が高いといった欠点がある。そして、金銀糸を捻れた状態で使用すると、捻れた部分では所定の方向からみて導電性を有する部分が不均一となるためアンテナ特性が一定しないといった問題がある。いずれにしても、ＲＦＩＤ等の無線通信用のアンテナとして十分な性能を備えた布地とはいえない。
【００１１】
そこで、本発明は、無線ＩＤタグの所持者が通過する際に正確にＩＤデータを読み取ることができるとともに通過方向を識別可能なアンテナを備えた暖簾及びそれを用いた移動検知装置を提供することを目的とするものである。
【課題を解決するための手段】
【００１２】
本発明に係る暖簾は、柔軟性を有するとともに絶縁材料からなるシート状の基体に複数のアンテナ線が所定間隔を空けて配列されて保持された一対のアンテナ保持体と、前記アンテナ保持体の前記アンテナ線を配列した領域を被覆可能な大きさに形成されるとともに電波を遮蔽する導電性シート体とを備え、一対の前記アンテナ保持体の間に前記導電性シート体が前記アンテナ線を配列した領域に対向する位置に配置されて積層して一体化されており、前記導電性シート体及び前記アンテナ線の間には両者が接触しないように絶縁材が設けられている。さらに、前記アンテナ保持体の前記基体は、比誘電率が４以下の絶縁糸からなる地糸により組織された布体であり、前記アンテナ保持体の前記アンテナ線は、前記地糸と同一の芯糸に金属繊維をカバーリング加工した抵抗が１Ω／ｍ〜１５Ω／ｍの導電糸からなる。さらに、前記絶縁材は、前記布体の前記地糸からなる。さらに、前記アンテナ線は、前記布体の経糸方向及び／又は緯糸方向に挿入されて交差する地糸により保持されている。さらに、前記アンテナ線は、当該アンテナ線に交差するように前記布体に縫い込まれた縫糸により保持されている。
【００１３】
本発明に係る移動検知装置は、上記の暖簾と、前記アンテナ保持体に保持された前記アンテナ線で受信した無線ＩＤタグからの信号に基づいてＩＤデータを読み取るとともにいずれの前記アンテナ保持体で受信したかを識別する情報読取部と、前記アンテナ保持体の識別データに基づいて移動方向を検知する検知処理部とを備えている。
【発明の効果】
【００１４】
本発明に係る暖簾は、上記のような構成を有することで、アンテナ線を保持する一対のアンテナ保持体の間に導電性シート体を配置して積層一体化しているので、一方の側からＩＤタグが暖簾に接触した場合に一方の側のアンテナ保持体のアンテナ線のみＩＤタグの読取動作が行われ、他方の側のアンテナ保持体のアンテナ線は導電性シート体により電波が遮蔽されてＩＤタグの読取動作が行われなくなる。そのため、一対のアンテナ保持体のうちいずれのアンテナ保持体のアンテナ線で読取動作が行われたか識別することで、暖簾のいずれの側からＩＤタグが到来したか検知可能となり、移動方向を検知することができる。
【００１５】
また、アンテナ保持体の基体を比誘電率が４以下の地糸により組織された布体とし、布体に対して抵抗が１Ω／ｍ〜１５Ω／ｍの導電糸からなるアンテナ線を保持させることで、絶縁体の地組織に低抵抗のアンテナ線を用いた感度のよいアンテナとして使用することができる。
【００１６】
また、アンテナ線として芯糸に金属繊維をカバーリング加工した導電糸を用いているので、アンテナ線が柔軟性及び伸縮性に優れたものとなり、布体に密着保持させた状態で地組織が湾曲変形した場合でも布体の変形に追従することができる。そして、金属線が芯糸に巻き付くようにカバーリング加工されているので、合成繊維からなる糸と同様の力学特性を有しており、アンテナ線が湾曲した場合でも断線することがなく、かつ金属繊維が撓むこともない。
【００１７】
また、導電糸の芯糸に布体の地糸と同一の糸を用いることで、導電糸を地糸と同様の柔軟性及び伸縮性を持たせることができ、布体にアンテナ線を密着保持した状態で両者がずれることなく同じように変形させることが可能となる。
【図面の簡単な説明】
【００１８】
【図１】本発明に係る実施形態に関する正面図である。
【図２】暖簾の分解斜視図である。
【図３】アンテナ線が配列された布地部分に関する部分拡大図である。
【図４】導電糸に関する一部拡大図である。
【図５】アンテナ線が織り込まれた場合に関する部分拡大図である。
【図６】アンテナ線が縫製された場合に関する部分拡大図である。
【図７】暖簾の作製方法に関する説明図である。
【図８】暖簾の別の作製方法に関する説明図である。
【図９】無線ＩＤタグの所持者が暖簾を通過する場合の説明図である。
【図１０】無線ＩＤタグの所持者に関する正面図である。
【発明を実施するための形態】
【００１９】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００２０】
図１は、本発明に係る実施形態である暖簾に関する正面図であり、図２は、暖簾の分解斜視図である。暖簾１は、人が通過するスリットＳを空けて吊り下げられており、一対のアンテナ保持体２ａ及び２ｂの間に電波を遮蔽する導電性シート体７を挟むように積層して一体化されている。アンテナ保持体２ａは、柔軟性を有するとともに絶縁材料からなるシート状の基体に複数のアンテナ線３ａが所定間隔を空けて配列されて保持されており、アンテナ保持体２ｂも同様のシート状の基体に複数のアンテナ線３ｂが所定間隔を空けて配列されて保持されている。
【００２１】
導電性シート体７は、アンテナ保持体２ａ及び２ｂのアンテナ線３ａ及び３ｂが配列された領域を被覆可能な大きさに形成されている。そのため、アンテナ保持体２ａ側から発信された電波に対して、アンテナ保持体２ａのアンテナ線３ａでは電波を受信できるが、導電性シート体７により電波が遮蔽されるためアンテナ保持体２ｂのアンテナ線３ｂでは受信できない。また、アンテナ保持体２ｂ側から発信された電波に対しては、アンテナ線３ｂで受信可能であるが、アンテナ線３ａでは受信できない。したがって、アンテナ保持体２ａのアンテナ線３ａ及びアンテナ保持体２ｂのアンテナ線３ｂのうちいずれのアンテナ線で電波が受信されたか識別することで、アンテナ保持体２ａ側又はアンテナ保持体２ｂ側から電波が発信されたことを特定することができる。そして、アンテナ保持体２ａ側から電波が発信された場合には、アンテナ保持体２ａ側からアンテナ保持体２ｂ側に移動していることになり、アンテナ保持体２ｂ側から電波が発信された場合には、アンテナ保持体２ｂ側からアンテナ保持体２ａ側に移動していることになるため、移動方向を検知することが可能となる。
【００２２】
各アンテナ線３ａ及び３ｂは、それぞれ配線コード４ａ及び４ｂを介して読取装置５に接続されている。そして、アンテナ線３ａ又は３ｂに無線ＩＤタグが近接することで無線ＩＤタグからアンテナ線３ａ又は３ｂに受信された信号は読取装置５に入力され、読取装置５は、受信したＩＤデータを読み取るとともにアンテナ保持体２ａ及び２ｂのうちいずれのアンテナ線で受信したかを識別する。また、各アンテナ線３ａ及び３ｂは、配線コード４ａ及び４ｂを介して読取装置５に並列で接続されており、読取装置５では交互に切り換えて作動させるようにしてＩＣタグを識別する方法が適している。この識別方法を使用することで、各アンテナ線３ａ及び３ｂのアンテナ間の電波干渉がなくなり、良好な認識処理を行うことができる。
【００２３】
読み取られたＩＤデータは、受信したアンテナ保持体の識別データとともに読取装置５から検知処理装置６に無線通信により送信される。検知処理装置６では、送信されたＩＤデータ及びアンテナ保持体の識別データを格納するとともに、識別データに基づいて移動方向を決定してＩＤデータと関連づけた移動情報を作成する。暖簾１を出入口に吊り下げた場合には、移動情報を入退室情報として作成することもできる。なお、読取装置５と検知処理装置６との間のデータ通信は有線でもよい。
【００２４】
アンテナ保持体２ａ及び２ｂの基体は、比誘電率が４以下の絶縁材料から構成することが好ましく、絶縁糸からなる地糸により組織された布体、絶縁性を有する合成樹脂製のフィルム等の柔軟性のあるシート体を用いることができる。フィルムの場合、素材としてはＰＥＴ（ポリエチレンテレフタレート）、ＰＰ（ポリプロピレン）、ＰＥ（ポリエチレン）等が挙げられる。布体を用いる場合には、通常の暖簾に使用される織物、編物又は不織布なる布地を用いればよく、布地を組織する地糸又は繊維としては、ＰＥＴ、ＰＴＴ（ポリトリメチレンテレフタレート）又はＰＢＴ（ポリブチレンテレフタレート）等のポリエステル系繊維、ナイロン（ポリアミド繊維）、アラミド（芳香族ポリアミド繊維）、ポリプロピレン又はポリエチレン等のポリオレフイン系繊維、アクリル等の合成繊維、レーヨン、アセテート等の化学繊維、綿、麻、ウール又は絹等の天然繊維が挙げられる。また、これらの繊維を複数種類混合した複合繊維を用いてもよい。
【００２５】
アンテナ線３ａは、導電線で構成されており、図３に示すように、スリットＳの形成方向と直交する方向に沿って直線状に配列された一対の導電線３０及び３１を組み合せたダイポールアンテナ形状に設定されている。導電線３０及び３１の対向する端部は所定の間隔が空けられており、導電線３０及び３１の対向する端部とは反対側の端部の間の間隔に基づいてアンテナの周波数特性が決定される。なお、上述した導電線の端部間の間隔は、導電線の実際の長さではなく平面視での端部の間の直線距離により設定される。そして、複数のアンテナ線３ａがスリットＳに沿って所定間隔を空けて配列されている。アンテナ保持体２ｂのアンテナ線３ｂについてもアンテナ線３ａと同様の構成を備えており、スリットＳの形成方向に沿って配列されている。図３では、アンテナ線の形状としてダイポールアンテナの例で説明しているが、ループアンテナやマイクロストリップアンテナなどの他のアンテナ形状を使用することもできる。
【００２６】
アンテナ線３ａ及び３ｂには、導電性を有する線材を用いることができる。フィルム状の基体を用いる場合には、基体表面に銅やアルミニウム等の導電材料による配線パターンを形成する、もしくは基体内に配線パターンを埋め込むこともできる。基体に布体を用いる場合には、アンテナ線として導電糸を用いることができる。導電糸としては、金属繊維、金属メッキ繊維等の導電性繊維を撚り合せた糸もしくは組紐、又はこうした導電性繊維に絶縁材料からなる繊維を合わせて撚り合せた糸もしくは組紐といったものが挙げられる。特に、銅繊維、錫メッキ銅繊維、錫青銅繊維、ステンレス繊維等の金属繊維を芯糸の周囲にカバーリング加工したものが布体に密着保持した場合の追従性に優れている。芯糸としては、ＰＥＴ、ＰＴＴ又はＰＢＴ等のポリエステル系繊維、ナイロン（ポリアミド繊維）、アラミド（芳香族ポリアミド繊維）、ポリプロピレン又はポリエチレン等のポリオレフイン系繊維、アクリル等の合成繊維、レーヨン、アセテート等の化学繊維、綿、麻、ウール又は絹等の天然繊維といった繊維からなる糸を用いるとよく、これらの繊維を複数種類混合した複合繊維からなる糸を用いてもよい。
【００２７】
カバーリング加工としては、シングルカバーリング加工及びダブルカバーリング加工があり、図４には、芯糸３３の周囲に金属繊維３４を２重に巻き付けたダブルカバーリング加工を施した導電糸を示している。
【００２８】
導電糸は、電気的に低抵抗のものが望ましく、電気抵抗が１Ω／ｍ〜１５Ω／ｍに設定するとよい。電気抵抗が１５Ω／ｍを超えると、アンテナとしての感度が悪化する。
【００２９】
導電糸の力学特性は、カバーリング加工する金属繊維の撚り数が３０００Ｔ／ｍ以上になると、芯糸とほぼ同じ特性を有するようになる。芯糸に金属繊維をカバーリング加工した導電糸をアンテナ線に用いることで、柔軟性及び伸縮性を有するアンテナ線を得ることができ、布体にアンテナ線を密着保持した場合に布体が湾曲又は伸縮しても、アンテナ線が断線したりずれることなく布体の変形に追従することが可能となる。
【００３０】
図５は、二重織により織成された布体にアンテナ線３ａ又は３ｂを密着保持した場合の布地部分の拡大図である。アンテナ線３ａ又は３ｂは、二重に織成された織地の上面側の織地に密着保持されている。アンテナ線である導電糸が緯糸２０の間に配列されており、経糸２１が導電糸の上下に交互に交差して緯糸２０と同様に挟持されている。そのため、アンテナ線が布体に密着保持されて抜け落ちることはない。また、導電糸が柔軟性及び伸縮性を有しているため、布体が変形してもそれに追従して変形することができ、断線等のトラブルが生じることはない。導電糸の芯糸として緯糸２０と同じものを使用すれば、導電糸の力学特性を経糸２１とほぼ同様に設定することができ、布体の変形に対して導電糸がよりスムーズに追従することが可能となる。
【００３１】
また、導電糸に対して経糸２１がほぼ等間隔で交差するため、交差する経糸２１の本数に基づいて密着保持する導電糸の長さを設定することが可能となる。したがって、布体を織成する際に緯糸として導電糸を所定本数の経糸分だけ挿入して織成し、布体の織成後に経糸により保持された分だけ残して導電糸を切断し、アンテナ線として用いるようにすることもできる。このようにアンテナ線を形成することで、導電糸の端部間の間隔を精度よく設定することができ、アンテナの感度を向上させることが可能となる。
【００３２】
この例では、布体が二重織により織成されているので、アンテナ線の下面に電気的な絶縁性を有する織地が配設される構成となっており、アンテナ線が導電性シート体７に接触することを防止するようになっている。
【００３３】
なお、上述した例では、導電糸を緯方向に配列しているが、経糸方向に配列して保持することもでき、接続線３２のように経方向に配列して緯糸により保持するようにしてもよい。
【００３４】
図６は、平織りにより織成された布体に縫糸２２によりアンテナ線３ａ又は３ｂを密着保持した場合の布地部分の拡大図である。この場合には、布体の表面にアンテナ線である導電糸を直線状に配置して接着剤等により固定し、ミシン等の縫製機を用いて縫糸２２でアンテナ線の両側に交互に縫い付けていき、アンテナ線を布体に密着保持するようにしている。導電糸だけでなく、フィルム表面又は内部にアンテナパターンを構成した材料を同様の方法で布体に固定することもできる。こうしたフィルム材料と布体で構成する場合は曲げ等の変形挙動が異なるため、接着剤等による全面固定は行わずに縫製による固定や布体に形成した挿入部に固定する方法が好ましい。
【００３５】
アンテナ線として導電糸を縫製により固定する場合には、布体として織物、編物又は不織布のいずれを用いてもよい。また、布体に後付けで導電糸を取り付けるので、縫い付けた導電糸の長さを測定しながらアンテナ線の設定どおりの間隔となっているかチェックして取り付けることができ、アンテナ線を布体に対して精度よく固定することができる。なお、縫糸２２の縫付間隔が等間隔に設定できる場合には、布体に対する縫付回数に基づいて導電糸の長さを設定することもできる。
【００３６】
導電性シート体７としては、柔軟性を有するとともにアンテナ保持体と積層した場合に追従性の優れた素材が用いられ、ＲＦＩＤによる無線通信における電波を遮蔽又は吸収する金属箔等の材料であればよい。また、暖簾として設置した場合の変形追従性や屈曲耐久性を有する材料が好ましく、例えば、導電層を形成した合成樹脂製フィルムや導電性繊維からなる薄地の布帛、金属メッキや導電材料をコーティングした布帛が挙げられる。また、導電性シート体７の厚さは、暖簾としての変形性や軽量化の観点から２ｍｍ以下とすることが好ましい。
【００３７】
導電性シート体７とアンテナ保持体２ａ及び２ｂを積層した場合に、アンテナ線３ａ及び３ｂと導電性シート体７が折衝しないように両者の間に絶縁材を設けておく。上述した例では、アンテナ保持体の基体がフィルムの場合には、アンテナ線と導電性シート体との間に絶縁材料からなる基体の一部を介在させることで接触しないようにすることができる。アンテナ保持体の基体が布体の場合にも、絶縁糸からなる地糸がアンテナ線と導電性シート体との間に介在することで接触しないようにすることができる。また、アンテナ線が外部に露出している場合でも、アンテナ線又は導電性シート体の表面に予め絶縁材料をコーティングしておけば、両者が接触して電気的に接続することを防止することが可能である。
【００３８】
図７は、暖簾１の作製方法に関する説明図である。この例では、アンテナ保持体２ｂをアンテナ線３ｂが保持された片面が下側を向くように置き、その上に導電性シート体７を重ねる。導電性シート体７は、アンテナ線３ｂが配列された領域全体が被覆されるように配置する。そして、導電性シート体７の上にアンテナ保持体２ａを重ねて置き、アンテナ保持体２ａのアンテナ線３ａが配列された領域が導電性シート体７と重なり合うように配置する。そして、３つのシートが積層した状態で一体化する。アンテナ保持体の基体が合成樹脂フィルムの場合にはアンテナ保持体同士を熱融着して一体化することができる。また、アンテナ保持体の基体が布体の場合には、アンテナ保持体同士を縫製等により一体化することができる。上述した作製方法においてシートを積層一体化する場合には、粘着剤又は接着剤等を使用して一体化することもできる。なお、接着剤等を使用する場合には、暖簾の柔軟性を維持するためにシートをドット状又はライン状に部分的に接着固定することが好ましい。
【００３９】
図８は、暖簾１の別の作製方法に関する説明図である。この例では、アンテナ保持体２ａ及び２ｂを合わせた大きさのシート２３を用い、シート２３の中心線Ｔで画定される半分の領域の片面側にそれぞれアンテナ線３ａ及び３ｂと配線コード４ａ及び４ｂを形成し、アンテナ線３ａ及び３ｂが保持された片面が下側を向くようにシート２３を設定する（図８（ａ））。次に、シート２３の半分の領域の上に導電性シート体７を重ね、アンテナ線３ｂが配列された領域全体が被覆されるように配置する。そして、中心線Ｔに沿ってシート２３を折り曲げて（図８（ｂ））重ね合わせ、積層一体化する。一体化する場合には、図７に示す例と同様に、熱融着又は縫製等により行うことができる。この場合には、シート２３の半分がアンテナ保持体２ａとなり、残りの半分がアンテナ保持体２ｂとなる。
【００４０】
図９は、無線ＩＤタグの所持者Ｍが暖簾１を通過する場合の説明図である。所持者Ｍは、図１０に示すように、両肩部分に無線ＩＤタグを取り付けたパッドＭ１及びＭ２を装着している。パッドＭ１及びＭ２には、複数の短冊状のＲＦＩＤタグが所定間隔を空けて配設されており、その長手方向が肩のラインに沿うように配列されて装着した状態ではできるだけ水平方向となるように設定されている。Ｍ１及びＭ２のＲＦＩＤの設置方向は、暖簾のアンテナ線で検知できる方向であればよく、パッド内に設置するＲＦＩＤの個数は少なくとも１個あればよい。またＭ１及びＭ２の装着位置は左右の片側でもよく、さらに肩だけでなく袖口や背中、胸部等の暖簾通過時に認識しやすい位置に設定すればよい。
【００４１】
暖簾１を吊り下げた状態では、スリットＳが垂直方向に設定されるためスリットＳと直交するアンテナ線３ａ及び３ｂはほぼ水平方向に設定されるようになる（図９（ａ））。そして、アンテナ保持体２ｂ側からスリットＳに向かって所持者Ｍが前進し、スリットＳの両側の布地部分をかき分けるようにして暖簾１をくぐると、両側のアンテナ保持体２ｂが所持者Ｍの両肩部分に接触した状態となる（図９（ｂ））。そのため、パッドＭ１及びＭ２に配設されたＲＦＩＤタグが接触するアンテナ保持体２ｂのアンテナ線３ｂと近接した状態となる。そして、パッドＭ１及びＭ２に接触したアンテナ保持体２ｂは、所持者Ｍが前進するにつれてパッドＭ１及びＭ２に接触した状態で滑るように相対移動するようになり、アンテナ線３ｂが順次パッドＭ１及びＭ２に配設されたＲＦＩＤタグに近接した状態に設定されるようになる。
【００４２】
こうしてアンテナ保持体２ｂのアンテナ線３ｂにおいてＲＦＩＤタグから発信される電波が受信されるようになる。一方、アンテナ保持体２ａでは、ＲＦＩＤタグから発信される電波は導電性シート体７により遮蔽されるため、電波が受信されることはない。同様に、アンテナ保持体２ａ側から所持者Ｍが暖簾１を通過する場合には、アンテナ保持体２ａのみＲＦＩＤタグから発信される電波を受信するようになる。複数の所持者Ｍが暖簾を通過したことを確実に判定するためには、ＲＦＩＤタグに対するアンテナ線の認識可能距離が短い方がよく、一般的に歩行者が前の歩行者に接近しないように歩行する場合３０ｃｍより間隔を空けて歩行することから、アンテナ線の認識距離を３０ｃｍ以下に設定することが望ましい。また、ＲＦＩＤタグがアンテナ線と接触しないと認識できない場合には、認識不良が発生しやすくなるため、ＲＦＩＤタグがアンテナ線に接触しない場合でも認識可能であることが必要で、アンテナ線の認識可能距離が２ｃｍ以上に設定されていることが望ましい。こうした認識可能距離を考慮すれば、ＲＦＩＤタグの周波数は、例えば２．４５ＧＨｚ又はＵＨＦ帯（８６０ＭＨｚ〜９６０ＭＨｚ）に設定するとよい。
【産業上の利用可能性】
【００４３】
本発明に係る暖簾は、通常の暖簾と同様に柔軟性のある素材で作成されるとともに線状のアンテナ線をアンテナ保持体に密着保持するようにしているので、通常の暖簾と遜色のない肌触り及びデザインを実現することができ、建物内の出入口や廊下に吊り下げてもインテリア製品として違和感なく取り付けることが可能となる。
【００４４】
また、読取装置及び暖簾をセットで簡単に取り付けることができるため、既存の建物内の必要な個所に取り付けて無線通信により容易に移動情報を管理することが可能となる。例えば、介護施設に設置して、認知症の被介護者に対する移動情報の確認及び入退室管理を行う上で好適である。
【符号の説明】
【００４５】
Ｍ１、Ｍ２・・・パッド、Ｓ・・・スリット、Ｔ・・・中心線、１・・・暖簾、２ａ、２ｂ・・・アンテナ保持体、３ａ、３ｂ・・・アンテナ線、４ａ、４ｂ・・・配線コード、５・・・読取装置、６・・・検知処理装置、７・・・導電性シート体、２０・・・緯糸、２１・・・経糸、２２・・・縫糸、２３・・・シート、３０・・・導電線、３１・・・導電線、３２・・・接続線、３３・・・芯糸、３４・・・金属繊維
【図１】
0005896216.tif 000002
【図２】
0005896216.tif 000003
【図３】
0005896216.tif 000004
【図４】
0005896216.tif 000005
【図５】
0005896216.tif 000006
【図６】
0005896216.tif 000007
【図７】
0005896216.tif 000008
【図８】
0005896216.tif 000009
【図９】
0005896216.tif 000010
【図１０】
0005896216.tif 000011